(57)【要約】【課題】  表示部の視認性を良好とし、且つデザイン性の低下を来たすことがない誘導加熱調理器を提供する。【解決手段】  加熱コイル１２，１３の下方側にフェライト３５，３６を配置し、半透明材料で構成されるトッププレート１５の下方に蛍光表示管２３を配置して、蛍光表示管２３を構成している金属部材の少なくとも一部が、フェライト３５，３６の上面位置よりも下方に位置するように構成する。【選択図】  図１
2006004765.tif 000002
【特許請求の範囲】
【請求項１】
トッププレート上に載置された被加熱物を、前記トッププレートの下方に設けられた加熱コイルにより誘導加熱する構成の誘導加熱調理器において、
前記加熱コイルの下方側に配置される高透磁率体と、
半透明材料で構成される前記トッププレートの下方に配置される蛍光表示管とを備え、
前記蛍光表示管を構成している金属部材の少なくとも一部が、前記高透磁率体の上面位置よりも下方に位置するように配置したことを特徴とする誘導加熱調理器。
【請求項２】
蛍光表示管を構成するリードピンが、高透磁率体の上面位置よりも下方に位置するように配置したことを特徴とする請求項１記載の誘導加熱調理器。
【請求項３】
蛍光表示管の封止蓋は、下面側のガラス基板に配置されていることを特徴とする請求項１又は２記載の誘導加熱調理器。
【請求項４】
蛍光表示管の表示面が、トッププレートの下面より２ｍｍ以上離間するように配置したことを特徴とする請求項１乃至３の何れかに記載の誘導加熱調理器。
【発明の詳細な説明】
【技術分野】
【０００１】
本発明は、トッププレート上に載置された被加熱物を、加熱コイルによって誘導加熱する誘導加熱調理器に関する。
【背景技術】
【０００２】
例えば、例えば誘導加熱調理器において、トッププレートの下方に液晶表示器を設けると共に、この液晶表示器の背部にバックライトを設け、加熱コイルのオンオフや、入力電力のレベルなどをその液晶表示器により表示する構成としたものが知られている（例えば、特許文献１参照）。この場合、トッププレートにおいて、液晶表示器に対応する部分は、液晶表示器の表示がトッププレートの上方から見えるように透明にしている。
【特許文献１】特開２００３−３１３４７号公報
【発明の開示】
【発明が解決しようとする課題】
【０００３】
上記液晶表示器を用いたものでは、次のような欠点がある。
（１）液晶表示器は視野角が狭いため、調理作業中におけるユーザの立ち位置によっては視認性が悪い場合がある。
（２）低輝度である液晶表示器によって表示を行う部分は、トッププレートを透明にする必要があり、外観のデザイン性が悪くなる。
【０００４】
また、液晶表示器に替えて輝度が高い発光ダイオードを使用した場合には、トッププレートの表示部分を半透明にすることは可能となる。しかしながら、発光ダイオードを用いて表示を行う場合は、表示セルを余り細かくすることができないため、表示部のデザイン性に限界がある。
本発明は上記事情に鑑みてなされたものであり、その目的は、表示部の視認性を良好とし、且つデザイン性の低下を来たすことがない誘導加熱調理器を提供することにある。
【課題を解決するための手段】
【０００５】
上記目的を達成するため、本発明の誘導加熱調理器は、トッププレート上に載置された被加熱物を、前記トッププレートの下方に設けられた加熱コイルにより誘導加熱する構成のものにおいて、
前記加熱コイルの下方側に配置される高透磁率体と、
半透明材料で構成される前記トッププレートの下方に配置される蛍光表示管とを備え、
前記蛍光表示管を構成している金属部材の少なくとも一部が、前記高透磁率体の上面位置よりも下方に位置するように配置したことを特徴とする。
【０００６】
即ち、蛍光表示管は高輝度で表示を行うことができるため、トッププレートの表示を行う部分を半透明にしても、表示を十分に視認することができる。また、液晶表示器のような視野角の制限もなく、しかも、表示の自由度が高いので、デザイン性を低下させることもない。しかしながら、誘導加熱調理器に蛍光表示管を用いる場合、１点だけ問題がある。蛍光表示管は金属部材で構成されている部分が多いため、トッププレートの下方において加熱コイルに接近した状態で配置すると、その加熱コイルによって金属部材が誘導加熱されてしまうおそれがある。
【０００７】
そこで、本発明では、加熱コイルに高周波電流が流れた場合に発生する磁束が、トッププレートの下方側では極力高透磁率体を介して流れるようにする。それと共に、蛍光表示管を構成している金属部材の少なくとも一部が高透磁率体の上面位置よりも下方となるように配置するので、高透磁率体の側面より出てトッププレートの上方側に回り込む磁束の影響が、蛍光表示管には殆ど及ばないようになる。
【発明の効果】
【０００８】
本発明によれば、蛍光表示管を用いて表示を行うことで、誘導加熱調理器における表示部の視認性が良好となり、また、誘導加熱調理器のデザイン性を向上させることができる。
【発明を実施するための最良の形態】
【０００９】
以下、本発明の一実施形態について図面を参照して説明する。図４には、台所のキャビネット１に、加熱調理器２が組み込まれた状態の外観斜視図が示されている。また、図５は、トッププレートを外した状態で示す要部の平面図である。加熱調理器２の本体３は、キャビネット１に設けられた収納部４に収納されている。本体３の左部には、ロースタ部５が設けられ、右部には、操作部６が設けられている。操作部６には、複数のスイッチ７が設けられている。
【００１０】
本体３の上部には、図５に示すような上部加熱ユニット１０が設けられている。この上部加熱ユニット１０は、上面が開口した矩形箱状の上部ケース１１内に、それぞれ誘導加熱用の左加熱コイル１２と右加熱コイル１３を左右に配置すると共に、中央部の後部側に位置させて例えばラジエントヒータからなる中央ヒータ１４を配置し、その上面開口部にそれらコイル１２，１３及びヒータ１４を上方から覆うように、耐熱ガラス製のトッププレート１５を設けて構成されている。
【００１１】
トッププレート１５には、左右の加熱コイル１２，１３及び中央ヒータ１４の上方に位置させて、それぞれ円形の加熱部１６，１７，１８が表示されている。そして、左右の加熱コイル１２，１３は、加熱部１６，１７上に調理容器を載置した状態で通電制御されることに基づき、その調理容器を誘導加熱し、また、中央ヒータ１４は、加熱部１８上に調理容器を載置した状態で通電制御されることに基づき、その調理容器を加熱するようになっている。
【００１２】
上部ケース１１内の前部には、左右の加熱コイル１２，１３の前方に位置させてそれぞれ多数個のＬＥＤ（発光ダイオード）１９を有する火力表示部２０，２１を設けていると共に、左右の加熱コイル１２，１３間に位置させて、ＬＥＤ１９を有する高温注意表示部２２と、蛍光表示管２３を設けている。従って、これら火力表示部２０，２１、高温表示部２２及び蛍光表示管２３は、上記トッププレート１５の下方に配置されている。各火力表示部２０，２１は、対応する加熱部１６，１７の外周にほぼ沿うように配置されている。この場合、トッププレート１５は、ほぼ透明な結晶化ガラスの裏面（下面）に金属例えばチタンの薄膜をスパッタリングにより形成した構成とすることで半透明の構成となっており、可視光領域において分光透過特性を有している。
【００１３】
図６には、上記蛍光表示管２３の具体的な表示例が示されている。この図６では、全ての表示部が点灯表示された状態が表されている。蛍光表示管２３の表示内容としては、左右の加熱コイル１２，１３と中央ヒータ１４の使用状態を示す使用状態表示部２４、湯沸し表示部２５、炒め物表示部２６、天ぷら表示部２７、炊飯表示部２８、ロースタ表示部２９、火力表示部３０（ロースタと中央ヒータ共用）となっている。この場合、これら各表示部２４〜３０の表示色としては、赤色と青色が使用される。
【００１４】
また、上記操作部６の内部には、図示はしないが、マイクロコンピュータを備えた制御装置が設けられている。この制御装置は、操作部６のスイッチ７の操作信号と、上記温度センサの検出信号と、予め備えた制御プログラムに基づき、上記左右の加熱コイル１２，１３、中央ヒータ１４、及びロースタ５のヒータ(図示せず)などを制御すると共に、上記火力表示部２０，２１、高温注意表示部２２、及び蛍光表示管２３を制御する機能を有している。
【００１５】
上記構成において、火力表示部２０，２１は、ＬＥＤ１９の点灯個数により対応する加熱コイル１２，１３の火力の程度が表示される。高温注意表示部２２は、温度センサの検出温度が設定温度よりも高い場合に点灯表示される。また、蛍光表示管２３は、点灯により各種の表示内容が表示される。
【００１６】
図１は、トッププレート１５付近における縦断正面図である。加熱部１６，１７の下面側において、加熱コイル１２，１３の中心部には、温度センサ３１，３２が配置されている。また、加熱コイル１２，１３は、支持台３３，３４の上に載置された状態で配置されており、その支持台３３，３４の下方側には、棒状に形成されたフェライト（高透磁率体）３５，３６が夫々において複数放射状に配置されている。
そして、左右の加熱コイル１２，１３の間に位置している蛍光表示管２３は、プリント回路基板３７に立設固定されている左右の支持部材３８，３９により、左右より挟み込まれるようにして支持されている。また、図２には、図１に示す蛍光表示管２３のＢ−Ｂ’断面（側面）を示す。
【００１７】
図２に示すように、蛍光表示管２３は、ガラス基板２３ｆ上に内部配線２３ｇを形成すると共に、蛍光体２３ｈ、スルーホール２３ｉ、絶縁被膜２３ｊ、アノード電極２３ｋなどを配置し、それらの上方にグリッド２３ｃを配置する。グリッド２３ｃの上方には、フィラメント２３ｅを配置する。ガラス基板２３ｆの図２中左右両端部には、スペーサガラス２３ｏ，２３ｐが立設されており、その上に表示面ガラス２３ｄが載置固定されることで、箱型の容器が形成されている。そして、ガラス基板２３ｆに設けられた排気孔２３ｑより空気を抜き出した後、排気孔２３ｑを封止蓋２３ｌで封止してフリットガラス２３ｎで封着することにより、容器内部は高真空状態となっている。
【００１８】
表示面ガラス２３ｄの容器内面側には、透明導電膜２３ｍが配置されている。また、内部配線２３ｇにはリードピン２３ａが接続されており、そのリードピン２３ａは、スペーサガラス２３ｏを貫通して外部に導出された後、９０度下方に折り曲げられてプリント回路基板３７に接続されている。尚、スペーサガラス２３ｏの貫通部分も、フリットガラス２３ｂによって封着されている。そして、フィラメント２３ｅとアノード電極２３ｋとの間に例えば３０Ｖ程度の直流電圧を印加することで、蛍光体２３ｈを発光させて表示を行うように構成されている。
これらのうち、リードピン２３ａ、グリッド２３ｃ、封止蓋２３ｌは、例えば鉄・ニッケル・クロム合金などの磁性金属材料で構成されている。ここで、再び図１を参照するが、蛍光表示管２３は、上下方向において、上記の磁性金属材料の上端位置が、フェライト３５，３６の上面よりも下方に位置するように配置されている。
【００１９】
次に、本実施例の作用について図３も参照して説明する。トッププレート１５の下方に蛍光表示管２３を配置、図６に示すような表示を行なわせることで、蛍光表示管２３の表示部が点灯した場合、その表示光は、半透明のトッププレート１５を透過してユーザの目に到達するため、ユーザは、その表示をトッププレート１５を介して良好に視認することができる。また、蛍光表示管２３の表示部以外の部分については、外光が半透明のトッププレート１５を透過したとしても、その反射光が戻ることはないので、ユーザによって視認されることはない。即ち、ユーザに対しては、表示させたい部分だけを視認させることができるため、誘導加熱調理器のデザイン性が極めて高くなる。
【００２０】
更に、蛍光表示管２３は、アノードを構成する蛍光体の材料に応じて可視光の略全帯域に対応する色（紫：４００ｎｍ〜赤：７００ｎｍ）を発光させることができる。従って、トッププレート１５に、可視光領域において半透明となる分光透過特性を持たせることで、多色で表示を行うことが可能となる。また、蛍光表示管２３は、蛍光体の発光効率により、青、緑色系の輝度が赤色系に比べて数倍良い。従って、トッププレート１５に、赤色に相当する略７００ｎｍの分光透過率を、青，緑色相当する略５００ｎｍの分光透過率より大きくなるように設定すれば、各色の輝度を略均一にすることができる。
【００２１】
また、蛍光表示管２３を構成する磁性金属材料が、フェライト３５，３６の上面よりも下方に位置するように配置したことで、以下のような作用をなす。例えば図１に示すように、加熱部１６側に磁性材料よりなる鍋４０を載置して誘導加熱する場合、加熱コイル１２に高周波電流を通電することで発生する交番磁界は、トッププレート１５の上方においては殆ど鍋４０の底を磁路として通過し、その後、大気中では拡がろうとしながら下方に向う。そして、トッププレート１５の下方においては殆どフェライト３５を磁路として通過し、その後、大気中では拡がろうとしながら上方に向う。
【００２２】
従って、蛍光表示管２３をトッププレート１５に近接するように配置すると、蛍光表示管２３を構成する金属材料に上方に向おうとする磁力線の一部がかかり、それらが誘導加熱されて温度が上昇してしまうことが想定される。蛍光表示管２３のリードピン２３ａや封止蓋２３ｌの温度が上昇すると、フリットガラス２３ｂ，２３ｎが加温されて軟化し、気密封止が失われ、フィラメント２３ｅより発生される熱電子によって内部放電が発生し、蛍光体２３ｈが飛散したり、フィラメント２３ｅの断線が生じるおそれがある。
【００２３】
また、熱電子が蛍光体２３ｈに到達しなくなれば発光自体が起きなくなる。更に、グリッド２３ｃの温度が上昇すると、そのグリッド２３ｃに近接する蛍光体２３ｈの温度も上昇するため、蛍光体２３ｈの熱劣化が加速され、発光時の輝度が低下する速度を速めてしまうことになる。以上のことから、本実施例では、蛍光表示管２３を構成する金属材料がフェライト３５，３６の上面よりも下方に位置するように配置し、それらが加熱コイル１２，１３より発生される交番磁界によって誘導加熱されることを極力防止している。
【００２４】
ここで、蛍光表示管２３を、具体的にどの程度下方に位置させれば良いかであるが、例えば、図３に示すようにある程度定量的に評価することができる。図１に示すように、蛍光表示管２３の端部に位置するリードピン２３ａとフェライト３６との左右方向距離をＤ１として、フェライト３６の上面と蛍光表示管２３のグリッド２３ｃとの距離をＤ２とする。
【００２５】
そして、上述のように鍋４０などを誘導加熱した場合、トッププレート１５の下方側、即ち誘導加熱調理器本体内部の雰囲気温度が例えば最高６０℃まで上昇するものとする。加えて、加熱コイル１２，１３より発生される交番磁界によって蛍光表示管２３の金属部材が多少なりとも誘導加熱され、それによって上昇する温度分を１０℃まで許容するものと設定する。
【００２６】
実際には、蛍光表示管２３と加熱コイル１２，１３との左右方向距離Ｄ１も誘導加熱の度合いに影響し、その距離Ｄ１を大きくとるほど誘導加熱は生じ難くなるが、距離Ｄ１を大きくとるとするならば、その分だけ蛍光表示管２３のサイズを小さくする必要がある。従って、その限界を例えば２０ｍｍに設定し、Ｄ１＝１０ｍｍ，５ｍｍと変化させれば、温度の上昇度合いは高まる。
【００２７】
即ち、図３に示すように、上下方向距離Ｄ２を所定の相対基準値（±０）とし、且つＤ１＝１０ｍｍにした場合に、誘導加熱による温度上昇分が丁度１０℃になるとすれば、Ｄ１＝２０ｍｍに設定する場合には、距離Ｄ２をより短くする（−，上）ことができ、Ｄ１＝５ｍｍに設定する場合には、距離Ｄ２をより長く取らなければならない（＋，下）。以上のように、誘導加熱による許容度上昇分と距離Ｄ１，Ｄ２との関係に基づき、個別の設計に応じて最適となる関係を設定すれば良い。
【００２８】
また、上記の設定とは別に、蛍光表示管２３は、表示面ガラス２３ｄの表面側が、トッププレート１５の下面より２ｍｍ以上離間するように配置されている。例えば、ユーザが、水を入れて重量が増している鍋などをトッププレート１５に載置した場合には、トッププレート１５において瞬間的にたわみが生じる。従って、両者を２ｍｍ以上離間させることで、トッププレート１５側にたわみが生じた場合でも、その部分が表示面ガラス２３ｄに当接することは回避される。
【００２９】
以上のように本実施例によれば、加熱コイル１２，１３の下方側にフェライト３５，３６を配置し、半透明材料で構成されるトッププレート１５の下方に蛍光表示管２３を配置して、蛍光表示管２３を構成している金属部材の少なくとも一部が、フェライト３５，３６の上面位置よりも下方に位置するようにした。
従って、蛍光表示管２３により高輝度で表示を行うことができ、トッププレート１５の表示を行う部分を半透明にしても表示を十分に視認することができる。また、液晶表示器のような視野角の制限もなく表示の自由度が高いので、誘導加熱調理器のデザイン性を良好にすることができる。そして、トッププレート１５の下方側において、フェライト３５，３６の側面より出てトッププレート１５の上方側に回り込もうとする磁束の影響が蛍光表示管２３には殆ど及ばないので、蛍光表示管２３が過剰に誘導加熱されることを回避し、蛍光表示管２３の寿命を保証することができる。
【００３０】
また、蛍光表示管２３を構成するリードピン２３ａの上端位置を、フェライト３５，３６の上面位置よりも下方に位置させたので、蛍光表示管２３を構成する金属部材の中でも比較的大きな構成要素であるリードピン２３ａの誘導加熱を防止して、温度の上昇を良好に回避することができる。更に、蛍光表示管２３の封止蓋２３ｌを、下面側のガラス基板２３ｆに配置したので、封止蓋２３ｌ及びフリットガラス２３ｎの誘導加熱を防止して、蛍光表示管２３の気密封止を維持することができる。
【００３１】
加えて、蛍光表示管２３を構成する表示面ガラス２３ｄの表面側を、トッププレート１５の下面より２ｍｍ以上離間させるように配置したので、トッププレート１５側にたわみが生じた場合でも、その部分が表示面ガラス２３ｄに当接することを回避し、蛍光表示管２３の故障を防止することができる。
【００３２】
本発明は上記し図面に記載した実施例にのみ限定されるものではなく、以下のような変形が可能である。
蛍光表示管２３のフィラメント２３ｅも含めて、フェライト３５，３６の上面位置よりも下方に位置させても良い。
図３の設定はあくまでも一例であり、個別に想定される条件に応じて適宜変更して実施すれば良い。
高透磁率体はフェライト３５，３６に限ることなく、高い透磁率を有する適当な材料を選択して使用すれば良い。
【００３３】
蛍光表示管２３は、蛍光体２３ｈ、アノード電極２３ｋ、絶縁被膜２３ｊ、内部配線２３ｇなどが表示面ガラス２３ｄの内面側に配置される構成であっても良い。
トッププレート１５の剛性が十分ある場合は、蛍表示面ガラス２３ｄの表面側をトッププレート１５の下面より２ｍｍ以上離間させる必要はなく、例えば、両者を密着させても良い。
蛍光表示管２３を用いた表示部の配置は図４に示すものに限らず、例えば、トッププレート１５の角部や、加熱部１６，１７の間などに配置しても良い。
【図面の簡単な説明】
【００３４】
【図１】本発明の一実施例であり、誘導加熱調理器のトッププレート付近における縦断正面図
【図２】図１に示す蛍光表示管のＢ−Ｂ’断面図
【図３】フェライトと蛍光表示管との配置距離と、誘導加熱による許容上昇温度との関係を示す図
【図４】誘導加熱調理器の外観構成を示す斜視図
【図５】トッププレートを外した状態で示す要部の平面図
【図６】蛍光表示管の表示内容を示す図
【符号の説明】
【００３５】
図面中、２は加熱調理器、１２は左加熱コイル、１３は右加熱コイル、１５はトッププレート、２３は蛍光表示管、２３ａはリードピン、２３ｄは表示面ガラス、２３ｌは封止蓋、３５，３６はフェライト（高透磁率体）を示す。
【図１】
2006004765.tif 000003
【図２】
2006004765.tif 000004
【図３】
2006004765.tif 000005
【図４】
2006004765.tif 000006
【図５】
2006004765.tif 000007
【図６】
2006004765.tif 000008